(57)【要約】【課題】  所望のズーム倍率に変化させるための操作回数が少なくて済むとともに、その操作時間が短くて済み、しかも、ズーム倍率の段階数が多くても、ユーザが望む倍率へダイレクトに変化させることが可能な電子機器を提供する。【解決手段】  撮像を行うカメラ３１と、ユーザが数字を入力するためのテンキー３４と、テンキー３４に対する操作により入力された数字で表される撮影倍率となるようにズーム倍率を制御する制御部１２とを備える。【選択図】    図３
2008172595.tif 000002
【特許請求の範囲】
【請求項１】
撮像を行うカメラと、
前記カメラの撮像倍率を変化させるズーム部と、
ユーザが数字を入力するための数字入力操作部と、
前記数字入力操作部に対する操作により入力された数字で表される撮影倍率となるように前記ズーム部を制御するズーム制御部と、
を備えることを特徴とする電子機器。
【請求項２】
撮像を行うカメラと、
前記カメラの撮像倍率を変化させるズーム部と、
ユーザが数字を入力するための数字入力操作部と、
前記数字入力操作部に対する操作により入力された数字で表される段階数の撮影倍率となるように前記ズーム部を制御するズーム制御部と、
を備えることを特徴とする電子機器。
【請求項３】
ユーザが数字を入力するための数字入力操作部と、
前記数字入力操作部に対する操作により入力された数字で表される撮影倍率となるようにカメラの撮像倍率を制御するズーム制御部と、
を備えることを特徴とする電子機器。
【請求項４】
ユーザが数字を入力するための数字入力操作部と、
前記数字入力操作部に対する操作により入力された数字で表される段階数の撮影倍率となるようにカメラの撮像倍率を制御するズーム制御部と、
を備えることを特徴とする電子機器。
【請求項５】
前記ズーム制御部は、当該電子機器が前記カメラと電気的に接続された状態において、前記カメラの撮像倍率を制御することを特徴とする請求項３又は４に記載の電子機器。
【請求項６】
前記ズーム制御部により前記カメラの撮像倍率を段階的に変化させる操作をユーザが行うための段階的倍率操作部を更に備えることを特徴とする請求項１乃至５の何れか一項に記載の電子機器。
【請求項７】
前記カメラは静止画を撮像するものであることを特徴とする請求項１乃至６の何れか一項に記載の電子機器。
【請求項８】
前記カメラは動画を撮像するものであることを特徴とする請求項１乃至６の何れか一項に記載の電子機器。
【請求項９】
前記カメラは静止画及び動画を撮像するものであることを特徴とする請求項１乃至６の何れか一項に記載の電子機器。
【請求項１０】
画像を記憶保持する記憶部と、
前記記憶部に記憶保持された画像を表示する表示部と、
前記表示部に表示される画像の表示倍率を変化させるズーム部と、
ユーザが数字を入力するための数字入力操作部と、
前記数字入力操作部に対する操作により入力された数字で表される表示倍率となるように前記ズーム部を制御するズーム制御部と、
を備えることを特徴とする電子機器。
【請求項１１】
画像を記憶保持する記憶部と、
前記記憶部に記憶保持された画像を表示する表示部と、
前記表示部に表示される画像の表示倍率を変化させるズーム部と、
ユーザが数字を入力するための数字入力操作部と、
前記数字入力操作部に対する操作により入力された数字で表される段階数の表示倍率となるように前記ズーム部を制御するズーム制御部と、
を備えることを特徴とする電子機器。
【請求項１２】
前記ズーム制御部により前記画像の表示倍率を段階的に変化させる操作をユーザが行うための段階的倍率操作部を更に備えることを特徴とする請求項１０又は１１に記載の電子機器。
【請求項１３】
前記画像は静止画であることを特徴とする請求項１０乃至１２の何れか一項に記載の電子機器。
【請求項１４】
前記画像は動画であることを特徴とする請求項１０乃至１２の何れか一項に記載の電子機器。
【請求項１５】
前記画像には静止画及び動画が含まれていることを特徴とする請求項１０乃至１２の何れか一項に記載の電子機器。
【請求項１６】
当該電子機器は携帯端末装置であることを特徴とする請求項１乃至１５の何れか一項に記載の電子機器。
【請求項１７】
カメラの撮像倍率を電子機器が制御する方法において、
ユーザにより入力された数字を前記電子機器が判定する第１の過程と、
前記第１の過程により判定された数字で表される撮像倍率となるように前記カメラの撮像倍率を前記電子機器が制御する第２の過程と、
を備えることを特徴とするズーム制御方法。
【請求項１８】
カメラの撮像倍率を電子機器が制御する方法において、
ユーザにより入力された数字を前記電子機器が判定する第１の過程と、
前記第１の過程により判定された数字で表される段階数の撮像倍率となるように前記カメラの撮像倍率を前記電子機器が制御する第２の過程と、
を備えることを特徴とするズーム制御方法。
【請求項１９】
表示部に表示される画像の表示倍率を電子機器が制御する方法において、
ユーザにより入力された数字を前記電子機器が判定する第１の過程と、
前記第１の過程により判定された数字で表される表示倍率となるように前記画像の表示倍率を前記電子機器が制御する第２の過程と、
を備えることを特徴とするズーム制御方法。
【請求項２０】
表示部に表示される画像の表示倍率を電子機器が制御する方法において、
ユーザにより入力された数字を前記電子機器が判定する第１の過程と、
前記第１の過程により判定された数字で表される段階数の表示倍率となるように前記画像の表示倍率を前記電子機器が制御する第２の過程と、
を備えることを特徴とするズーム制御方法。
【発明の詳細な説明】
【技術分野】
【０００１】
本発明は、電子機器及びズーム制御方法に関する。
【背景技術】
【０００２】
例えば、カメラ付き携帯電話機或いはその他のカメラ付き携帯端末装置におけるカメラの撮像倍率の操作（ズーム操作）や、その表示部に表示される画像の表示倍率の操作は、デジタルカメラに比べるとかなり困難である。
【０００３】
同様に、例えばパーソナルコンピュータ（ＰＣ）にカメラを接続し、このカメラの撮像倍率の操作や、撮影した画像の表示倍率を、ＰＣのキーボードやマウスを用いて行う場合も、同様に、デジタルカメラに比べると操作が困難である。
【０００４】
そのため、ズーム操作を簡単に行うことを可能とする技術が提案されている。
【０００５】
具体的には、例えば、携帯端末装置の十字キーを押下することにより、継続して押下された時間に応じてズーム倍率を段階的に変化させる技術がある（特許文献１）。
【０００６】
また、携帯端末装置の十字キーのクリックにより１ステップ幅でズーム倍率を変化させる一方で、十字キーの長押し時には任意に設定したズームのステップ幅でズーム倍率を変化させる技術がある（特許文献２）。
【０００７】
また、携帯端末装置のテンキーに割り当てられた撮影倍率となるようにズーム部を制御する技術がある（特許文献３）。
【特許文献１】特開２００５−３４７９８７号公報
【特許文献２】特開２００４―２６０４３１号公報
【特許文献３】特開２００６−１５７１９１号公報
【発明の開示】
【発明が解決しようとする課題】
【０００８】
上記の特許文献１の技術では、十字キーを継続して押下した時間に応じてズーム倍率が変化する構成であるため、所望のズーム倍率が最大倍率や最小倍率に近い場合には、所望の倍率に変化させるために長い時間継続して操作を行う必要がある。
【０００９】
同様に、特許文献２の技術では、所望のズーム倍率が最大倍率や最小倍率に近い場合には、所望の倍率に変化させるために多くの回数のクリック操作が必要であるか、長い時間継続して操作を行う必要があるという問題がある。
【００１０】
更に、近年の高画素化に伴い、ズーム段数は増加傾向にあるため、ステップ幅を広げたとしても、目的の倍率に変化させるためには長時間を要することがあるようになってきている。
【００１１】
加えて、上記の特許文献１、２の技術では、徐々に倍率を変化させる結果、ユーザが望む倍率となった段階で操作を終了する構成であるため、ユーザが望む倍率へダイレクトに変化させることができないという問題がある。
【００１２】
対して、特許文献３の技術では、テンキーに割り当てられた撮影倍率となるようにズーム部を制御する構成であるため、所望のズーム倍率に変化させるための操作を短時間で行うことができるとともに、ユーザが望む倍率へダイレクトに変化させることができるという利点がある。
【００１３】
しかしながら、上記のように、近年の高画素化に伴いズーム段数は増加しており、具体的には、例えば１６段階などの段階数となっている。
【００１４】
このため、特許文献３の技術では、ズーム倍率の各段階毎に１つずつのテンキーを割り当てることは不可能であることが想定される。
【００１５】
本発明は、上記のような問題点を解決するためになされたもので、所望のズーム倍率に変化させるための操作回数が少なくて済むとともに、その操作時間が短くて済み、しかも、ズーム倍率の段階数が多くても、ユーザが望む倍率へダイレクトに変化させることが可能な電子機器及びズーム制御方法を提供することを目的とする。
【課題を解決するための手段】
【００１６】
上記課題を解決するため、本発明の電子機器は、撮像を行うカメラと、前記カメラの撮像倍率を変化させるズーム部と、ユーザが数字を入力するための数字入力操作部と、前記数字入力操作部に対する操作により入力された数字で表される撮影倍率となるように前記ズーム部を制御するズーム制御部と、を備えることを特徴としている。
【００１７】
また、本発明の電子機器は、撮像を行うカメラと、前記カメラの撮像倍率を変化させるズーム部と、ユーザが数字を入力するための数字入力操作部と、前記数字入力操作部に対する操作により入力された数字で表される段階数の撮影倍率となるように前記ズーム部を制御するズーム制御部と、を備えることを特徴としている。
【００１８】
また、本発明の電子機器は、ユーザが数字を入力するための数字入力操作部と、前記数字入力操作部に対する操作により入力された数字で表される撮影倍率となるようにカメラの撮像倍率を制御するズーム制御部と、を備えることを特徴としている。
【００１９】
また、本発明の電子機器は、ユーザが数字を入力するための数字入力操作部と、前記数字入力操作部に対する操作により入力された数字で表される段階数の撮影倍率となるようにカメラの撮像倍率を制御するズーム制御部と、を備えることを特徴としている。
【００２０】
本発明の電子機器においては、前記ズーム制御部は、当該電子機器が前記カメラと電気的に接続された状態において、前記カメラの撮像倍率を制御することが好ましい。
【００２１】
本発明の電子機器においては、前記ズーム制御部により前記カメラの撮像倍率を段階的に変化させる操作をユーザが行うための段階的倍率操作部を更に備えることが好ましい。
【００２２】
本発明の電子機器においては、前記カメラは静止画を撮像するものであることが好ましい。
【００２３】
或いは、本発明の電子機器においては、前記カメラは動画を撮像するものであることも好ましい。
【００２４】
或いは、本発明の電子機器においては、前記カメラは静止画及び動画を撮像するものであることも好ましい。
【００２５】
また、本発明の電子機器は、画像を記憶保持する記憶部と、前記記憶部に記憶保持された画像を表示する表示部と、前記表示部に表示される画像の表示倍率を変化させるズーム部と、ユーザが数字を入力するための数字入力操作部と、前記数字入力操作部に対する操作により入力された数字で表される表示倍率となるように前記ズーム部を制御するズーム制御部と、を備えることを特徴としている。
【００２６】
また、本発明の電子機器は、画像を記憶保持する記憶部と、前記記憶部に記憶保持された画像を表示する表示部と、前記表示部に表示される画像の表示倍率を変化させるズーム部と、ユーザが数字を入力するための数字入力操作部と、前記数字入力操作部に対する操作により入力された数字で表される段階数の表示倍率となるように前記ズーム部を制御するズーム制御部と、を備えることを特徴としている。
【００２７】
本発明の電子機器においては、前記ズーム制御部により前記画像の表示倍率を段階的に変化させる操作をユーザが行うための段階的倍率操作部を更に備えることが好ましい。
【００２８】
本発明の電子機器においては、前記画像は静止画であることが好ましい。
【００２９】
或いは、本発明の電子機器においては、前記画像は動画であることも好ましい。
【００３０】
或いは、本発明の電子機器においては、前記画像には静止画及び動画が含まれていることも好ましい。
【００３１】
本発明の電子機器は、例えば携帯電話機或いはその他の携帯端末装置であることが好ましい一例である。
【００３２】
本発明のズーム制御方法は、カメラの撮像倍率を電子機器が制御する方法において、ユーザにより入力された数字を前記電子機器が判定する第１の過程と、前記第１の過程により判定された数字で表される撮像倍率となるように前記カメラの撮像倍率を前記電子機器が制御する第２の過程と、を備えることを特徴としている。
【００３３】
また、本発明のズーム制御方法は、カメラの撮像倍率を電子機器が制御する方法において、ユーザにより入力された数字を前記電子機器が判定する第１の過程と、前記第１の過程により判定された数字で表される段階数の撮像倍率となるように前記カメラの撮像倍率を前記電子機器が制御する第２の過程と、を備えることを特徴としている。
【００３４】
また、本発明のズーム制御方法は、表示部に表示される画像の表示倍率を電子機器が制御する方法において、ユーザにより入力された数字を前記電子機器が判定する第１の過程と、前記第１の過程により判定された数字で表される表示倍率となるように前記画像の表示倍率を前記電子機器が制御する第２の過程と、を備えることを特徴としている。
【００３５】
また、本発明のズーム制御方法は、表示部に表示される画像の表示倍率を電子機器が制御する方法において、ユーザにより入力された数字を前記電子機器が判定する第１の過程と、前記第１の過程により判定された数字で表される段階数の表示倍率となるように前記画像の表示倍率を前記電子機器が制御する第２の過程と、を備えることを特徴としている。
【発明の効果】
【００３６】
本発明によれば、数字入力操作部により数字を入力することにより、ズーム倍率（撮像倍率又は表示倍率）を段階的にではなく、ダイレクトに指定しその指定した倍率に変化させることができる。
【００３７】
或いは、本発明によれば、数字入力操作部により数字を入力することにより、ズーム倍率（撮像倍率又は表示倍率）の段階数をダイレクトに指定し、その指定した段階数の倍率に変化させることができる。
【００３８】
よって、所望のズーム倍率に変化させるための操作回数が少なくて済むとともに、その操作時間が短くて済み、しかも、ズーム倍率の段階数が多くても、ユーザが望む倍率へダイレクトに変化させることが可能となる。
【発明を実施するための最良の形態】
【００３９】
以下、図面を参照して、本発明に係る実施形態について説明する。
【００４０】
本実施形態では、本発明に係る電子機器の好適な一例として、カメラ付き携帯電話機を説明する。
【００４１】
図１は実施形態に係るカメラ付き携帯電話機１００の正面図、図２は実施形態に係るカメラ付き携帯電話機１００の構成を示すブロック図である。
【００４２】
図１に示すように、実施形態に係るカメラ付き携帯電話機１００は、例えば、折り畳み型の携帯電話機であり、相互に開閉可能に軸支された第１及び第２の筐体１、２を備えている。
【００４３】
このうち第１の筐体１は、例えば、カメラ付き携帯電話機１００を折り畳んだ際に内側となる面に、カメラ部３１と、液晶表示装置などからなり各種の表示動作を行う表示部３２と、を備えている。
【００４４】
他方、第２の筐体２は、例えば、カメラ付き携帯電話機１００を折り畳んだ際に内側となる面に、操作部としての十字キー３３及びテンキー３４を備えている。このうちテンキー３４は数字入力操作部を構成し、十字キー３３は段階的倍率操作部を構成している。
【００４５】
更に、図２に示すように、実施形態に係るカメラ付き携帯電話機１００は、イメージセンサ部１１と、制御部１２と、メモリ部１３と、を備えている。
【００４６】
イメージセンサ部１１は、カメラ部３１の内部に配置されている。このイメージセンサ部１１は、制御部１２の制御下で撮影対象物の撮像を行い、撮像した画像のデータを制御部１２に出力する。
【００４７】
また、十字キー３３及びテンキー３４をユーザが操作することによりズーム倍率の操作が可能であり、十字キー３３及びテンキー３４に対するズーム倍率の入力操作に応じたズーム倍率の設定処理が制御部１２において実行される。
【００４８】
表示部３２は、カメラ部３１の動作中においては、カメラ部３１のファインダーとして機能する。すなわち、表示部３２は、カメラ部３１の動作中においては、撮影対象物の画像を制御部１２の制御下で表示する。また、この際、表示部３２には、制御部１２によりズーム倍率を設定された画像が表示され、ユーザはその画像を見ることにより倍率の確認を行うことができ、所望の倍率でなかった場合には表示により倍率を確認しながら更に調整を行うことができる。
【００４９】
制御部１２は、ズーム部及びズーム制御部として機能する。
【００５０】
また、メモリ部１３にはズーム処理後の撮影画像のデータが制御部１２の制御下で格納される。
【００５１】
次に、カメラ付き携帯電話機１００におけるズーム操作を説明する。
【００５２】
図３はズーム操作に伴う制御部１２の動作の流れを示すフローチャートである。
【００５３】
先ず、制御部１２は、カメラ部３１の動作中において、テンキー３４が押されたかどうかの判断を実行する（ステップＳ１）。
【００５４】
テンキー３４が押されたと判断した場合（ステップＳ１のＹＥＳ）、制御部１２は、テンキー３４により入力された数字がズーム倍率の変動範囲内であるか否かを判断する（ステップＳ２）。
【００５５】
テンキー３４により入力された数字がズーム倍率の変動範囲内であった場合（ステップＳ２のＹＥＳ）、制御部１２は、入力された数字で表されるズーム倍率への設定処理（ズーム倍率の拡大又は縮小処理）を実行する（ステップＳ３）。
【００５６】
また、表示部３２はカメラ部３１のファインダーとして機能し、表示部３２には制御部１２により設定されたズーム倍率で画像が表示される。
【００５７】
ステップＳ３に続いては、再びステップＳ１の判定が行われる。また、ステップＳ２の判定にて、テンキー３４により入力された数字がズーム倍率の変動範囲内でなかった場合（ステップＳ２のＮＯ）も、再びステップＳ１の判定が行われる。
【００５８】
ステップＳ１の判定にて、テンキー３４が押されていないと判断された場合（ステップＳ１のＮＯ）、制御部１２は、十字キー３３に対して１段階のズーム拡大操作がなされたか否かを判断する（ステップＳ４）。
【００５９】
なお、１段階のズーム拡大操作は、例えば、十字キー３３において、何れか１つの方向を指示する部位（例えば、右方向を指示する部位である図１の部位３３ａ）を１回だけ押圧する操作であるものとする。
【００６０】
１段階のズーム拡大操作がなされたと判断した場合（ステップＳ４のＹＥＳ）、制御部１２は、現在のズーム倍率が最大の倍率であるか否かを判断する（ステップＳ５）。
【００６１】
現在のズーム倍率が最大の倍率ではない場合（ステップＳ５のＮＯ）、未だズーム倍率拡大の余地があるため、制御部１２は、１段階のズーム倍率拡大処理を行う（ステップＳ６）。すなわち、例えば、倍率を１だけ上げるズーム倍率拡大処理を行う。
【００６２】
ステップＳ６に続いては、再びステップＳ１の判定が行われる。また、ステップＳ５の判定にて、現在のズーム倍率が最大の倍率であると判断された場合（ステップＳ５のＹＥＳ）は、既にズーム倍率拡大の余地がないため、再びステップＳ１の判定が行われる。
【００６３】
また、ステップＳ４の判定にて、１段階のズーム拡大操作がなされていないと判断した場合（ステップＳ４のＮＯ）、制御部１２は、十字キー３３に対して１段階のズーム縮小操作がなされたか否かを判断する（ステップＳ７）。
【００６４】
なお、１段階のズーム縮小操作は、例えば、十字キー３３において、ズーム拡大操作を指示する部位以外の、何れか１つの方向を指示する部位（例えば、左方向を指示する部位である図１の部位３３ｂ）を１回だけ押圧する操作であるものとする。
【００６５】
１段階のズーム縮小操作がなされたと判断した場合（ステップＳ７のＹＥＳ）、制御部１２は、現在のズーム倍率が最小の倍率であるか否かを判断する（ステップＳ８）。
【００６６】
現在のズーム倍率が最小の倍率ではない場合（ステップＳ８のＮＯ）、未だズーム倍率縮小の余地があるため、制御部１２は、１段階のズーム倍率縮小処理を行う（ステップＳ９）。すなわち、例えば、倍率を１だけ下げるズーム倍率縮小処理を行う。
【００６７】
ステップＳ９に続いては、再びステップＳ１の判定が行われる。また、ステップＳ８の判定にて、現在のズーム倍率が最小の倍率であると判断された場合（ステップＳ８のＹＥＳ）は、既にズーム倍率縮小の余地がないため、再びステップＳ１の判定が行われる。
【００６８】
次に、具体的な操作に応じたズーム倍率の設定処理の例を幾つか説明する。
【００６９】
図４は、ズーム倍率を１倍に設定し、ファインダーとしての表示部３２に撮影対象物を表示した状態のカメラ付き携帯電話機１００の正面図である。
【００７０】
図４の状態からズーム倍率を４倍に変化させる場合は、ユーザは、図５に示すように、テンキー３４に含まれるキーのうち、「４」のキー３４４を押下操作する。
【００７１】
この操作を受けて、制御部１２は、ズーム倍率を４倍に設定する処理を行い、表示部３２には、図５に示すように、ズーム倍率を４倍に設定された撮像対象物の画像が表示される。なお、図５は、簡単のために表示部３２とテンキー３４のみを示すカメラ付き携帯電話機１００の模式的正面図である。
【００７２】
また、倍率変化後に、テンキー３４に含まれるキーのうち、「８」のキー３４８をユーザが押下操作すると、制御部１２は、ズーム倍率を８倍に設定する処理を行い、表示部３２には、図６に示すように、ズーム倍率を８倍に設定された撮像対象物の画像が表示される。なお、図６は、簡単のために表示部３２とテンキー３４のみを示すカメラ付き携帯電話機１００の模式的正面図である。
【００７３】
更に、ズーム倍率が例えば４倍や８倍の時に、テンキー３４に含まれるキーのうち、「１」のキー３４１をユーザが押下操作すると、等倍（１倍）表示に戻る。
【００７４】
また、ズーム倍率は１桁の数字に限らず、２桁以上の数字であっても良い。すなわち、例えば、数字キーを続けて２回押すことにより２桁のズーム倍率を指定できる。具体的には、例えば、「１」のキー３４１と「６」のキー３４６をこの順にユーザが押下操作すると、制御部１２は、ズーム倍率を１６倍に設定する処理を行い、表示部３２には、ズーム倍率を１６倍に設定された撮像対象物の画像が表示される。
【００７５】
なお、ズーム倍率として２桁以上の数字も入力可能な構成の場合、ズーム倍率の指定操作の終了時を制御部１２が確実に認識できるように、ズーム倍率の指定操作の最後に、数字キー以外の特定の操作（例えば、「♯」のキー３５２の押下操作）をユーザが行うようにすることが好ましい。すなわち、具体的には、例えば、ズーム倍率を１６倍にするためには、「１」のキー３４１と「６」のキー３４６と「♯」のキー３５２をこの順にユーザが押下操作すると、制御部１２は、ズーム倍率を１６倍に設定する処理を行い、表示部３２には、ズーム倍率を１６倍に設定された撮像対象物の画像が表示される。同様に、例えば、ズーム倍率を４倍にするためには、「４」のキー３４４と「♯」のキー３５２をこの順にユーザが押下操作すると、制御部１２は、ズーム倍率を４倍に設定する処理を行い、表示部３２には、ズーム倍率を４倍に設定された撮像対象物の画像が表示される。
【００７６】
また、テンキー３４に対する入力操作によりズーム倍率をダイレクトに指定した後、引き続き、十字キー３３に対する入力操作によって１段階ずつズーム倍率を拡大又は縮小することにより、ズーム倍率を微調整することができる。具体的には、例えば、図５に示すようにテンキー３４に対する操作によりズーム倍率を４倍に変化させた後で、図７に示すように、十字キー３３における右方向を指示する部位である部位３３ａを１回だけ押圧操作することにより、１段階のズーム拡大操作が行え、ズーム倍率を５倍に変化させることができる。なお、図７は、簡単のために表示部３２、十字キー３３及びテンキー３４のみを示すカメラ付き携帯電話機１００の模式的正面図である。
【００７７】
また、ズーム倍率は整数倍に限らず、例えば数字キーと数字キーの間に「＊」のキー３５０を押すことにより、少数点を含む数の倍率に設定することも可能となっている。具体的には、例えば、テンキー３４に含まれるキーのうち、「１」のキー３４１、「＊」のキー３５０、「５」のキー３４５をこの順にユーザが押下操作することにより、１．５倍のズーム倍率に設定することが可能である。
【００７８】
以上のような実施形態によれば、ユーザがテンキー３４により数字を入力することにより、ズーム倍率（撮像倍率）を段階的にではなくダイレクトに指定し、その指定した倍率に変化させることができる。
【００７９】
よって、所望のズーム倍率に変化させるための操作回数が少なくて済むとともに、その操作時間が短くて済み、しかも、ズーム倍率の段階数が多くても、ユーザが望む倍率へダイレクトに変化させることが可能となる。
【００８０】
また、テンキー３４に対する入力操作によりズーム倍率をダイレクトに指定した後、引き続き、十字キー３３に対する入力操作によって１段階ずつズーム倍率を拡大又は縮小することにより、ズーム倍率を繰り返し微調整することを容易に行うことができる。
【００８１】
なお、上記の実施形態では、本発明をカメラ付き携帯電話機１００に適用した例を説明したが、本発明はこの例に限らず、例えば、カメラ付きＰＨＳ（Ｐｅｒｓｏｎａｌ  Ｈａｎｄｙｐｈｏｎｅ  Ｓｙｓｔｅｍ）、カメラ付きＰＤＡ（Ｐｅｒｓｏｎａｌ  Ｄａｔａ  Ａｓｓｉｓｔａｎｃｅ，  Ｐｅｒｓｏｎａｌ  Ｄｉｇｉｔａｌ  Ａｓｓｉｓｔａｎｔｓ：個人向け携帯型情報通信機器）などのカメラ付き携帯端末装置やその他のカメラ付き電子機器にも同様に適用可能である。
【００８２】
更に、本発明は、カメラ付き電子機器に限らず、カメラ或いはカメラ付き電子機器に接続された状態で、このカメラ（或いはカメラ付き電子機器のカメラ）のズーム倍率を制御することが可能な電子機器（例えば、パーソナルコンピュータ）にも適用可能である。
【００８３】
また、上記においては、テンキー３４に対する操作により入力された数字がズーム倍率となる例を説明したが、この例に限らず、例えば、テンキー３４に対する操作により入力された数字が、ズーム倍率の段数を表すようにしても良い。すなわち、具体的には、例えば、「４」のキー３４４が押下操作された場合に、４段階目のズーム倍率に設定するといった構成としても良い。
【００８４】
また、カメラにより撮像する画像は、静止画に限らず動画であっても良い。すなわち、本発明は、静止画の撮像時にそのズーム倍率を指定する操作に適用しても良いし、動画の撮像時にそのズーム倍率を指定する操作に適用しても良い。
【００８５】
また、カメラ動作中のテンキー３４によるズーム操作時においてもテンキー３４に含まれる何れかのキーにズーム倍率の設定機能の他の機能が割り当てられていることも想定されるが、その場合であっても、テンキー３４に含まれるキーのうち当該他の機能が割り当てられていない特定のキーに対するズーム操作や、十字キー３３に対するズーム操作がなされた後は、ズームモードに移行し、当該他の機能が割り当てられている何れかのキーについても、当該他の機能ではなく、ズーム倍率の設定機能にのみ使用されるように構成することが好ましい。
【００８６】
更に、本発明は、撮影時（撮影中）のみならず、撮影後に表示部３２に画像を表示する際のズーム倍率（表示倍率）の指定にも同様に適用可能であり、この場合にも、ズーム倍率の拡大（縮小）操作の負担を低減し、時間を短縮することができる。
【００８７】
すなわち、本発明は、画像を記憶保持する記憶部と、記憶部に記憶保持された画像を表示する表示部と、表示部に表示される画像の表示倍率を変化させるズーム部と、ユーザが数字を入力するための数字入力操作部と、数字入力操作部に対する操作により入力された数字で表される表示倍率となるようにズーム部を制御するズーム制御部と、を備える電子機器にも同様に適用可能である。
【００８８】
或いは、本発明は、画像を記憶保持する記憶部と、記憶部に記憶保持された画像を表示する表示部と、前記表示部に表示される画像の表示倍率を変化させるズーム部と、ユーザが数字を入力するための数字入力操作部と、数字入力操作部に対する操作により入力された数字で表される段階数の表示倍率となるようにズーム部を制御するズーム制御部と、を備える電子機器にも同様に適用可能である。
【図面の簡単な説明】
【００８９】
【図１】実施形態に係るカメラ付き携帯電話機の正面図である。
【図２】実施形態に係るカメラ付き携帯電話機の構成を示すブロック図である。
【図３】ズーム操作に伴う制御部の動作の流れを示すフローチャートである。
【図４】ズーム倍率を１倍に設定し、ファインダーとしての表示部に撮影対象物を表示した状態のカメラ付き携帯電話機の正面図である。
【図５】ズーム倍率を４倍に設定し、ファインダーとしての表示部に撮影対象物を表示した状態のカメラ付き携帯電話機の模式的正面図である。
【図６】ズーム倍率を８倍に設定し、ファインダーとしての表示部に撮影対象物を表示した状態のカメラ付き携帯電話機の模式的正面図である。
【図７】ズーム倍率を５倍に設定し、ファインダーとしての表示部に撮影対象物を表示した状態のカメラ付き携帯電話機の模式的正面図である。
【符号の説明】
【００９０】
１２    制御部（ズーム部、ズーム制御部）
３１    カメラ部（カメラ）
３２    表示部
３３    十字キー（段階的倍率操作部）
３４    テンキー（数字入力操作部）
１００  カメラ付き携帯電話機（電子機器、携帯端末装置）
【図１】
2008172595.tif 000003
【図２】
2008172595.tif 000004
【図３】
2008172595.tif 000005
【図４】
2008172595.tif 000006
【図５】
2008172595.tif 000007
【図６】
2008172595.tif 000008
【図７】
2008172595.tif 000009